(57)【要約】【課題】シグナリング方式の異なるＩＰネットワークを収容し、それぞれのＩＰネットワークに合ったシグナリングメッセージを生成することで、シグナリング方式の異なるＩＰネットワーク間の通信を可能とする。【解決手段】シグナリング方式が異なるＩＰネットワーク（一方の通信網）２とＩＰネットワーク（他方の通信網）３の間に接続し、ＩＰ電話機（一方の通信端末）ａ１、…、ａｋ、…、ａｎとＩＰ電話機（他方の通信端末）ｂ１、…、ｂｋ、…、ｂｎのシグナリングメッセージを終端するとともに整合をとり、シグナリング方式の異なるＩＰネットワークに接続されているＩＰ電話期間の通信を行わせる。【選択図】図１
2008017518.tif 000002
【特許請求の範囲】
【請求項１】
シグナリング方式の異なるＩＰネットワークを収容する複数のインタフェース手段と、
第１のＩＰネットワークからのセッション確立要求メッセージを受信するセッション確立要求メッセージ受信手段と、
前記セッション確立要求メッセージから第２のＩＰネットワークへのセッション確立に必要とされる情報を抽出する抽出手段と、
前記抽出手段が抽出した情報に基づき前記第２のＩＰネットワーク用のセッション確立要求メッセージを生成するセッション確立要求メッセージ生成手段と、
前記セッション確立要求メッセージ生成手段が生成した当該セッション確立要求メッセージを第２のＩＰネットワークに送信するセッション確立要求メッセージ送信手段と、
を備えたことを特徴とするシグナリング方式の異なるＩＰネットワーク間を接続するシグナリング中継装置。
【請求項２】
シグナリング方式の異なるＩＰネットワークを収容する複数のインタフェース手段と、
第１のＩＰネットワークに接続された第１の端末装置からのセッション確立要求メッセージを受信するセッション確立メッセージ受信手段と、
前記セッション確立要求メッセージから第２のＩＰネットワークに接続された第２の端末装置へのセッション確立に必要とされる情報を抽出する抽出手段と、
前記抽出手段が抽出した情報に基づき前記第２のＩＰネットワークに接続された第２の端末装置が認識可能なセッション確立要求メッセージを生成するセッション確立要求メッセージ生成手段と、
前記セッション確立要求メッセージ生成手段が生成した当該セッション確立要求メッセージを前記第２の端末装置に送信するセッション確立要求メッセージ送信手段と、
前記第１の端末装置と前記第２の端末装置の符号化方式が異なる場合に、前記セッション確立要求メッセージにより確立された、前記第１の端末装置と前記第２の端末装置間のセッション上を伝送されるデータの符号化方式を相互変換するメディアデータ処理部と、
を備えたことを特徴とするシグナリング方式の異なるＩＰネットワーク間を接続するシグナリング中継装置。
【発明の詳細な説明】
【技術分野】
【０００１】
本発明はシグナリング方式やＩＰアドレス体系などが異なる通信網間に接続し、通信網のそれぞれに接続される通信端末相互間の通信を可能にするシグナリング中継装置に係り、特にメディアデータの中継以外に、保留・転送、シェーピング、キャッチホン、一斉放送の付加機能を可能にするシグナリング中継装置に関する。
【背景技術】
【０００２】
従来のシグナリング中継装置は、「特許文献１」（シグナリング中継システムおよびシグナリング中継方法）に開示されているように、「複数の通信端末装置が接続された通信網における通信端末装置間のシグナリング中継システムにおいて、シグナリング中継装置およびデータ変換装置を備えた構成とし、シグナリング中継装置は、セッション確立要求メッセージ中継時に発信端末装置と着信端末装置の能力不一致を検出した場合に対応して、発信端末装置および着信端末装置それぞれの能力情報をデータ変換装置に通知し、発信端末装置の能力情報をデータ変換装置の能力情報に変換したセッション確立要求メッセージを生成して着信端末装置に送信し、着信端末装置の能力情報をデータ変換装置の能力情報に変更したセッション確立応答メッセージを生成して発信通信端末装置に送信して、データ変換装置を経由する二段階セッションを確立するようにする。」ものである。
【０００３】
また、「特許文献１」に開示された従来のシグナリング中継装置は、「データ変換装置は、アドレス変換装置であり、シグナリング中継装置は、ＳＩＰプロキシサーバであり、データ変換装置は、メディアデータの符号化方式を変換するトランスコーダである。」となっている。
【０００４】
これによると、二段階セッションを確立することで、ＩＰアドレス体系などが異なる通信端末装置間の通信を可能にすることができるとともに、音声（メディアデータ）の符号化方式が異なる通信端末装置間の通信を可能にすることができる。
【特許文献１】特開２００３−１５２８２０号公報
【発明の開示】
【発明が解決しようとする課題】
【０００５】
「特許文献１」に開示された従来のシグナリング中継装置は、「能力の異なる端末間でも、端末がデータ変換装置を意識したシグナリング処理を行うことなくセッションを確立して通信を行うことができ、端末の負荷を低減化する」という課題を達成するものであるが、シグナリング方式の異なる通信網（ＩＰネットワーク）に接続される通信端末間の中継の他、保留・転送、シェーピング、キャッチホン、一斉放送などの付加機能を提供することができなかった。
【０００６】
この発明はこのような課題を解決するためになされたもので、その目的は、保留・転送、シェーピング、キャッチホン、一斉放送などの付加機能を提供することができる利便性に優れたシグナリング中継装置を提供することにある。
【課題を解決するための手段】
【０００７】
前記課題を解決するためこの発明に係るシグナリング中継装置は、シグナリング方式の異なるＩＰネットワークを収容する複数のインタフェース手段と、第１のＩＰネットワークからのセッション確立要求メッセージを受信するセッション確立要求メッセージ受信手段と、前記セッション確立要求メッセージから第２のＩＰネットワークへのセッション確立に必要とされる情報を抽出する抽出手段と、前記抽出手段が抽出した情報に基づき前記第２のＩＰネットワーク用のセッション確立要求メッセージを生成するセッション確立要求メッセージ生成手段と、前記セッション確立要求メッセージ生成手段が生成した当該セッション確立要求メッセージを第２のＩＰネットワークに送信するセッション確立要求メッセージ送信手段と、を備えたことを特徴とする。
【０００８】
また、この発明に係るシグナリング方式の異なるＩＰネットワーク間を接続するシグナリング中継装置は、シグナリング方式の異なるＩＰネットワークを収容する複数のインタフェース手段と、第１のＩＰネットワークに接続された第１の端末装置からのセッション確立要求メッセージを受信するセッション確立メッセージ受信手段と、前記セッション確立要求メッセージから第２のＩＰネットワークに接続された第２の端末装置へのセッション確立に必要とされる情報を抽出する抽出手段と、前記抽出手段が抽出した情報に基づき前記第２のＩＰネットワークに接続された第２の端末装置が認識可能なセッション確立要求メッセージを生成するセッション確立要求メッセージ生成手段と、前記セッション確立要求メッセージ生成手段が生成した当該セッション確立要求メッセージを前記第２の端末装置に送信するセッション確立要求メッセージ送信手段と、前記第１の端末装置と前記第２の端末装置の符号化方式が異なる場合に、前記セッション確立要求メッセージにより確立された、前記第１の端末装置と前記第２の端末装置間のセッション上を伝送されるデータの符号化方式を相互変換するメディアデータ処理部と、を備えたことを特徴とする。
【発明の効果】
【０００９】
この発明に係るシグナリング中継装置は、シグナリングメッセージおよびメディアデータの中継以外に、通信端末間の保留・転送、伝送するパケットのシェーピング、キャッチホン、一斉放送の付加機能を可能にする付加機能手段を備えたので、中継装置だけで保留・転送、シェーピング、キャッチホン、一斉放送の付加機能を実現することができ、利便性の向上ならびに使い勝手の向上を図ることができる。
【００１０】
また、この発明に係る前記付加機能手段は、異なる通信網のそれぞれに接続されるインタフェースと、シグナリングメッセージを制御するシグナリング制御部と、メディアデータを制御するメディアデータ制御部と、メディアデータを一時格納するメディアデータバッファ部と、メディアデータを編集するメディアデータ編集部と、保留音源データを格納する保留音源データ部と、キャッチホン音源データを格納するキャッチホン音源データ部と、一斉放送の相手先を設定して記憶する一斉放送相手先設定部と、メディアデータの送信間隔を決定するデータ送信タイミング制御部とを備えるように構成できるので、保留・転送、シェーピング、キャッチホン、一斉放送の付加機能を実現することができ、シグナリング中継装置の利便性をアピールすることができる。
【００１１】
さらに、この発明に係る前記付加機能手段は、一方の通信網および一方の通信網に接続された一方の通信端末が保留機能をサポートしておらず、他方の通信網および他方の通信網に接続された他方の通信端末が保留機能をサポートしており、一方の通信端末と他方の通信端末のセッションが確立して双方の通信端末間で通話中に、他方の通信端末から保留要求メッセージが発生すると、他方の通信端末に保留応答メッセージを送信するとともに、一方の通信端末からのメディアデータを破棄し、保留音源データ部から保留音源データを一方の通信端末に送信するように構成できるので、一方の通信網および一方の通信網に接続された一方の通信端末が保留機能をサポートしてなくても保留機能を実現することができ、単純な構成で容易に保留機能を実現することができる。
【００１２】
また、この発明に係る前記付加機能手段は、一方の通信網および一方の通信網に接続された一方の通信端末が転送機能をサポートしておらず、他方の通信網および他方の通信網に接続された他方の通信端末が転送機能をサポートしており、一方の通信端末と他方の通信端末が保留中に、他方の通信端末から転送要求メッセージが発生すると、他方の通信端末に転送応答メッセージを送信するとともに、一方の通信端末に送信されている保留音源データ部からの保留音源データを停止して保留を解除し、一方の通信端末から他方の通信端末に送信されていたメディアデータを転送先に指定された通信端末に宛先を変更して送信し、転送先に指定された通信端末から送信されるメディアデータを一方の通信端末に送信するように構成できるので、一方の通信網および一方の通信網に接続された一方の通信端末が転送機能をサポートしてなくても転送機能を実現することができ、単純な構成で容易に転送機能を実現することができる。
【００１３】
さらに、この発明に係る前記付加機能手段は、一方の通信端末と他方の通信端末のセッションが確立して双方の通信端末間で通話中に、一方の通信網に接続された別の通信端末から他方の通信端末にセッション確立要求が発生すると、メディアデータバッファ部に一時格納された一方の通信端末からのメディアデータに、メディアデータ編集部でキャッチホン音源データ部からの音源データを重畳したメディアデータを他方の通信端末に送信した後、他方の通信端末から保留要求メッセージが発生すると、一方の通信端末に保留音源データ部からの保留音源データを送信して保留するとともに、他方の通信端末からのメディアデータの宛先を一方の通信端末から別の通信端末に変更して送信し、別の通信端末からのメディアデータを他方の通信端末に送信するように構成できるので、通話中の割込みの呼出しに対して応答することができ、単純な構成で容易にキャッチホン機能を実現することができる。
【００１４】
また、この発明に係る前記付加機能手段は、一方の通信端末から特番などにより一斉放送を示すセッション確立要求が発生すると、一斉放送相手先設定部に予め設定された相手先通信端末にセッション確立要求メッセージを送信してそれぞれ相手先通信端末とセッションを確立するとともに、一方の通信端末からのメディアデータをメディアデータバッファ部に一時格納し、メディアデータ編集部でメディアデータを相手先通信端末数分だけ複製して相手先通信端末に送信するように構成できるので、予め設定した複数の通信端末に一斉放送をすることができ、放送装置を必要とすることなく任意の通信端末への一斉放送を実現することができる。
【００１５】
さらに、この発明に係る前記付加機能手段は、一方の通信端末と他方の通信端末のセッションが確立している場合に、一方の通信端末から送信されるメディアデータをメディアデータバッファ部に一時格納し、データ送信タイミング制御部で格納されたメディアデータの送信間隔を調整して送信するように構成できるので、メディアデータの送信間隔を通信網の保証速度以内にシェーピングしてパケットロスを防ぐことができ、パケットロスのない高品質なデータを伝送することができる。
【発明を実施するための最良の形態】
【００１６】
以下、この発明の実施の形態を添付図面に基づいて説明する。図１はこの発明に係るシグナリング中継装置が適用されるＩＰ電話システムのシステム構成図である。図１において、ＩＰ電話システム１は、ＶｏＩＰ（Voice over Internet Protocol）によるＩＰ電話システムであって、ＩＰ通信網（一方の通信網）２と、ＩＰ通信網（他方の通信網）３と、ＩＰ通信網２に接続されるＩＰ電話機（一方の通信端末）ａ１、…，ａｋ、…、ａｎと、ＩＰ通信網３に接続されるＩＰ電話機（他方の通信端末）ｂ１、…、ｂｋ、…、ｂｎと、ＩＰ通信網２とＩＰ通信網３の間に接続するシグナリング中継装置４とから構築する。
【００１７】
ＩＰ通信網（一方の通信網）２およびＩＰ電話機（一方の通信端末）ａ１，…，ａｋ，…，ａｎと、ＩＰ通信網（他方の通信網）３およびＩＰ電話機（他方の通信端末）ｂ１、…、ｂｋ、…、ｂｎとは、それぞれシグナリング方式やＩＰアドレス体系などが異なる。
【００１８】
シグナリング中継装置４は、ＩＰ電話機（一方の通信端末）ａ１，…，ａｋ，…，ａｎとＩＰ電話機（他方の通信端末）ｂ１、…、ｂｋ、…、ｂｎとの間でセッションを確立することにより、シグナリング方式やＩＰアドレス体系が異なるＩＰ通信網（一方の通信網）２およびＩＰ通信網（他方の通信網）３に接続されたＩＰ電話機（一方の通信端末）ａ１，…，ａｋ，…，ａｎとＩＰ電話機（他方の通信端末）ｂ１、…、ｂｋ、…、ｂｎ相互間のシグナリングメッセージおよびメディアデータを中継して通信を可能にする。
【００１９】
また、シグナリング中継装置４は、ＩＰ電話機（一方の通信端末）ａ１，…，ａｋ，…，ａｎとＩＰ電話機（他方の通信端末）ｂ１、…、ｂｋ、…、ｂｎの保留・転送、伝送するパケットのシェーピング、キャッチホン、一斉放送の付加機能を可能にする付加機能手段５を備え、他の装置を必要とすることなく、シグナリング中継装置４だけで保留・転送、シェーピング、キャッチホン、一斉放送の付加機能を実現する。
【００２０】
図２はこの発明に係る付加機能手段の一実施の形態要部ブロック構成図である。図２において、付加機能手段５は、インタフェース（Ｉ／Ｆ）６ａ，インタフェース（Ｉ／Ｆ）６ｂ、シグナリング制御部７ａ，シグナリング制御部７ｂ、メディアデータ制御部８ａ，メディアデータ制御部８ｂ、メディアデータバッファ部９、メディアデータ編集部１０、保留音源データ部１１、キャッチホン音源データ部１２、一斉放送相手先設定部１３、データ送信タイミング制御部１４ａ，データ送信タイミング制御部１４ｂを備える。
【００２１】
インタフェース（Ｉ／Ｆ）６ａは、ＩＰ通信網（一方の通信網）２に接続され、ＩＰ電話機（一方の通信端末）ａ１，…，ａｋ，…，ａｎとシグナリングメッセージおよびメディアデータの送受信を行う。
【００２２】
インタフェース（Ｉ／Ｆ）６ｂは、ＩＰ通信網（他方の通信網）３に接続され、ＩＰ電話機（他方の通信端末）ｂ１、…、ｂｋ、…、ｂｎとシグナリングメッセージおよびメディアデータの送受信を行う。
【００２３】
シグナリング制御部７ａは、インタフェース（Ｉ／Ｆ）６ａを介して受信されるシグナリングメッセージを終端し、電話番号などのシグナリング中継に必要とされる情報のみをシグナリング制御部７ｂに伝送する制御を行う。
【００２４】
シグナリング制御部７ｂは、インタフェース（Ｉ／Ｆ）６ｂを介して受信されるシグナリングメッセージを終端し、電話番号などのシグナリング中継に必要とされる情報のみをシグナリング制御部７ａに伝送する制御を行う。
【００２５】
メディアデータ制御部８ａは、インタフェース（Ｉ／Ｆ）６ａを介して受信されるメディアデータを終端し、音声の符号化されたデータ部分だけを抽出してメディアデータバッファ部９に格納したり、メディアデータバッファ部９や保留音源データ部１１に格納されている音声や保留音の符号化されたデータ部分を読み出し、メディアデータとしインタフェース（Ｉ／Ｆ）６ａを介して送信する制御を行う。
【００２６】
メディアデータ制御部８ｂは、インタフェース（Ｉ／Ｆ）６ｂを介して受信されるメディアデータを終端し、音声の符号化されたデータ部分だけを抽出してメディアデータバッファ部９に格納したり、メディアデータバッファ部９や保留音源データ部１１に格納されている音声や保留音の符号化されたデータ部分を読み出し、メディアデータとしインタフェース（Ｉ／Ｆ）６ｂを介して送信する制御を行う。
【００２７】
メディアデータバッファ部９は、メディアデータ制御部８ａおよびメディアデータ制御部８ｂから供給される音声の符号化されたデータ部分を一時格納する。
【００２８】
メディアデータ編集部１０は、メディアデータバッファ部９に格納されている音声の符号化されたデータ部分の編集を行い、符号化方式の異なる音声データの編集や、キャッチホン音源データ部１２に格納されている音源と音声データを加算したりする制御を行う。
【００２９】
保留音源データ部１１は、保留機能の実現時に、セッションが保留されたＩＰ電話機（通信端末）に対し、保留中を示す音を送出するための音源データを格納する。
【００３０】
キャッチホン音源データ部１２は、セッションが既に確立されているＩＰ電話機（通信端末）に対し、新たなセッション確立を要求するＩＰ電話機（通信端末）がいることを示す音を送出するための音源データを格納する。
【００３１】
一斉放送相手先設定部１３は、一斉放送を行う場合、一斉放送の相手先電話番号を予め設定して記憶する。
【００３２】
データ送信タイミング制御部１４ａは、ＩＰ通信網（一方の通信網）２に対してトラフィックをシェーピングして送出可能なように、インタフェース（Ｉ／Ｆ）６ａがシグナリングメッセージやメディアデータの送信間隔を決定して送出するタイミングの制御を行う。
【００３３】
データ送信タイミング制御部１４ｂは、ＩＰ通信網（他方の通信網）３に対してトラフィックをシェーピングして送出可能なように、インタフェース（Ｉ／Ｆ）６ｂがシグナリングメッセージやメディアデータの送信間隔を決定して送出するタイミングの制御を行う。
【００３４】
このように、この発明に係る付加機能手段５は、異なる通信網（ＩＰ通信網２，ＩＰ通信網３）のそれぞれに接続されるインタフェース（インタフェース（Ｉ／Ｆ）６ａ，インタフェース（Ｉ／Ｆ）６ｂ）と、シグナリングメッセージを制御するシグナリング制御部（シグナリング制御部７ａ，シグナリング制御部７ｂ）と、メディアデータを制御するメディアデータ制御部（メディアデータ制御部８ａ，メディアデータ制御部８ｂ）と、メディアデータを一時格納するメディアデータバッファ部９と、メディアデータを編集するメディアデータ編集部１０と、保留音源データを格納する保留音源データ部１１と、キャッチホン音源データを格納するキャッチホン音源データ部１２と、一斉放送の相手先を設定して記憶する一斉放送相手先設定部１３と、メディアデータの送信間隔を決定するデータ送信タイミング制御部（データ送信タイミング制御部１４ａ，データ送信タイミング制御部１４ｂ）とを備えたので、保留・転送、シェーピング、キャッチホン、一斉放送の付加機能を実現することができ、シグナリング中継装置４の利便性をアピールすることができる。
【００３５】
次に、付加機能手段５の通話、保留・転送、キャッチホン、一斉放送およびシェーピングの制御シーケンスについて説明する。図３はこの発明に係る付加機能手段の通話の制御シーケンス図である。なお、ＩＰ通信網（一方の通信網）２のＩＰ電話機（一方の通信端末）ａ１とＩＰ通信網（他方の通信網）３のＩＰ電話機（他方の通信端末）ｂ１との間で通話を可能とする制御シーケンスについて説明する。このケースでは、シグナリング方式やＩＰアドレス体系などが異なるＩＰ通信網（一方の通信網）２とＩＰ通信網（他方の通信網）３に接続されたＩＰ電話機（一方の通信端末）ａ１とＩＰ電話機（他方の通信端末）ｂ１間の通話となるため、直接セッションの確立ができず、シグナリング中継装置４を介してセッションを確立することになる。
【００３６】
図３において、インタフェース（Ｉ／Ｆ）６ａは、ＩＰ電話機（一方の通信端末）ａ１から見てＩＰ電話機（他方の通信端末）ｂ１に見えるため、ＩＰ電話機（一方の通信端末）ａ１は、インタフェース（Ｉ／Ｆ）６ａに対してセッション確立要求メッセージを送信する。
【００３７】
インタフェース（Ｉ／Ｆ）６ａは、ＩＰ電話機（一方の通信端末）ａ１からのセッション確立要求メッセージを受信すると、セッション確立要求メッセージ内の相手電話番号を抽出し、ＩＰ通信網（他方の通信網）３に接続されたＩＰ電話機（他方の通信端末）ｂ１の認識可能なシグナリングプロトコルを用いてセッション確立要求メッセージをインタフェース（Ｉ／Ｆ）６ｂからＩＰ電話機（他方の通信端末）ｂ１に送信する。
【００３８】
インタフェース（Ｉ／Ｆ）６ｂは、ＩＰ電話機（他方の通信端末）ｂ１からセッション確立応答メッセージを受信した場合には、ＩＰ電話機（他方の通信端末）ｂ１との間でセッションを確立し、ＩＰ電話機（一方の通信端末）ａ１の認識可能なシグナリングプロトコルを用いてセッション確立応答メッセージをインタフェース（Ｉ／Ｆ）６ａからＩＰ電話機（一方の通信端末）ａ１に送信する。
【００３９】
インタフェース（Ｉ／Ｆ）６ａは、ＩＰ電話機（一方の通信端末）ａ１からセッション応答確認メッセージを受信した場合には、ＩＰ電話機（一方の通信端末）ａ１との間でセッションを確立する。
【００４０】
セッション確立処理において、インタフェース（Ｉ／Ｆ）６ａとインタフェース（Ｉ／Ｆ）６ｂは、セッション確立に必要とされる相手電話番号等のみを抽出し、新たにシグナリングメッセージを生成して中継するため、例えばＳＩＰ（Session Initiation Protocol）とＨ．３２３といったシグナリング方式が異なる通信網間や、ＩＰバージョン４とＩＰバージョン６といったＩＰアドレス体系が異なる通信網間に接続されたＩＰ電話機（通信端末）間のセッション確立が可能になる。
【００４１】
また、インタフェース（Ｉ／Ｆ）６ａは、ＩＰ電話機（一方の通信端末）ａ１との間でシグナリングにより確立されたセッション上を伝送されるメディアデータを終端し、音声の符号化されたデータ部分のみを抽出し、ＩＰ電話機（他方の通信端末）ｂ１が再生可能なメディアデータでＩＰ電話機（他方の通信端末）ｂ１に送信する。
【００４２】
インタフェース（Ｉ／Ｆ）６ｂは、ＩＰ電話機（他方の通信端末）ｂ１との間でシグナリングにより確立されたセッション上を伝送されるメディアデータを終端し、音声の符号化されたデータ部分のみを抽出し、ＩＰ電話機（一方の通信端末）ａ１が再生可能なメディアデータでＩＰ電話機（一方の通信端末）ａ１に送信する。
【００４３】
メディアデータ処理において、インタフェース（Ｉ／Ｆ）６ａとインタフェース（Ｉ／Ｆ）６ｂは、メディアデータに含まれる音声の符号化されたデータ部分のみを抽出し、新たなメディアデータを生成して中継するため、例えば音声の符号化方式がＨ．７２９とＧ．７１１といった異なるＩＰ電話機（通信端末）間の通話（通信）が可能になる。
【００４４】
図４はこの発明に係る付加機能手段の保留・転送の一実施の形態制御シーケンス図である。なお、インタフェース（Ｉ／Ｆ）６ａおよびＩＰ電話機（一方の通信端末）ａ１は保留・転送機能をサポートしておらず、インタフェース（Ｉ／Ｆ）６ｂおよびＩＰ電話機（他方の通信端末）ｂ１は保留・転送機能をサポートしており、ＩＰ電話機（一方の通信端末）ａ１とＩＰ電話機（他方の通信端末）ｂ１が通話中に、ＩＰ電話機（他方の通信端末）ｂ１側から保留し、ＩＰ電話機（一方の通信端末）ａｋに転送する場合について説明する。
【００４５】
図４において、ＩＰ電話機（一方の通信端末）ａ１とＩＰ電話機（他方の通信端末）ｂ１がセッションを確立して通話（通信）するまでは、図３と同じ制御シーケンスであり、この通話状態で、ＩＰ電話機（他方の通信端末）ｂ１が保留要求メッセージをインタフェース（Ｉ／Ｆ）６ｂに送信すると、インタフェース（Ｉ／Ｆ）６ｂは、保留要求メッセージを終端し、ＩＰ電話機（他方の通信端末）ｂ１に保留応答メッセージを送信する。
【００４６】
この時点で、インタフェース（Ｉ／Ｆ）６ａで受信するＩＰ電話機（一方の通信端末）ａ１からのメディアデータが保留により不要なデータとなっていることを認識しているため、このメディアデータが廃棄される。これにより、不要なトラフィックを軽減することができる。
【００４７】
保留状態になると、ＩＰ電話機（他方の通信端末）ｂ１は、ＩＰ電話機（一方の通信端末）ａ１へのメディアデータを停止し、ＩＰ電話機（一方の通信端末）ａ１が無音状態になるため、保留音源データ部１１に格納されている保留音源データをインタフェース（Ｉ／Ｆ）６ａからメディアデータとしてＩＰ電話機（一方の通信端末）ａ１に送信することにより、保留機能がサポートされていないＩＰ通信網（一方の通信網）２およびＩＰ電話機（一方の通信端末）ａ１と、保留機能がサポートされているＩＰ通信網（他方の通信網）３およびＩＰ電話機（他方の通信端末）ｂ１との間で保留機能の実現が可能になる。
【００４８】
なお、音声や保留音のメディアデータは、通常ＲＴＰ（Real-time Transport Protocol）プロトコルによって伝送される。このＲＴＰプロトコルに使用されるプロトコルヘッダでは、パケット生成毎に１ずつ加算されるシーケンス番号や、一定周期で１づつ加算されるタイムスタンプが付与されることになる。
【００４９】
音声のメディアデータと保留音のメディアデータを切り替える際に、これらの順序性を引き継ぎながらメディアデータを生成しなければ、通信端末でメディアデータの順序性が大きく損なわれ、大きなゆらぎを発生させてしまうことになり、音声を復元した時に、雑音や音声のとぎれの原因となる。
【００５０】
本発明では、メディアデータに含まれる音声のデータ部分のみを抽出し、新たなメディアデータを生成して中継するため、音声のメディアデータと保留音のメディアデータを切り替える際にも、シーケンス番号やタイムスタンプが継続され、音声を復元した時の雑音や音声のとぎれを容易に防止することができる。
【００５１】
続いて、ＩＰ電話機（一方の通信端末）ａ１とＩＰ電話機（他方の通信端末）ｂ１が保留の状態から、ＩＰ電話機（他方の通信端末）ｂ１からＩＰ電話機（他方の通信端末）ｂｋにＩＰ電話機（一方の通信端末）ａ１のメディアデータを転送するケースについて説明する。なお、ＩＰ電話機（他方の通信端末）ｂｋは、転送機能をサポートしている。
【００５２】
図４において、ＩＰ電話機（他方の通信端末）ｂ１から転送先に指定されたＩＰ電話機（他方の通信端末）ｂｋのセッション確立要求メッセージをインタフェース（Ｉ／Ｆ）６ｂに送信すると、インタフェース（Ｉ／Ｆ）６ｂは、受信したセッション確立要求メッセージを終端し、セッション確立要求メッセージの中から相手先電話番号（ここでは、ＩＰ電話機ｂｋ）を抽出し、抽出した相手先電話番号からセッション確立要求メッセージをＩＰ電話機（他方の通信端末）ｂｋに送信する。
【００５３】
インタフェース（Ｉ／Ｆ）６ｂは、ＩＰ電話機（他方の通信端末）ｂｋからセッション確立応答メッセージを受信すると、ＩＰ電話機（他方の通信端末）ｂ１にセッション確立応答メッセージを送信し、ＩＰ電話機（他方の通信端末）ｂ１およびＩＰ電話機（他方の通信端末）ｂｋとの間にセッションを確立する。
【００５４】
セッションが確立された上に送受信されるメディアデータは、音声の符号化された部分のみが抽出されて中継され、ＩＰ電話機（他方の通信端末）ｂ１とＩＰ電話機（他方の通信端末）ｂｋとの間の通話（通信）を実現する。
【００５５】
ＩＰ電話機（他方の通信端末）ｂ１とＩＰ電話機（他方の通信端末）ｂｋとの通話（通信）状態から、ＩＰ電話機（他方の通信端末）ｂｋから転送要求メッセージがインタフェース（Ｉ／Ｆ）６ｂに送信されると、インタフェース（Ｉ／Ｆ）６ｂは、転送要求メッセージを終端し、転送応答メッセージをＩＰ電話機（他方の通信端末）ｂ１に送信するとともに、保留音源データ部１１からＩＰ電話機（一方の通信端末）ａ１に送信されていた保留音源データを停止することにより、保留を解除する。
【００５６】
また、インタフェース（Ｉ／Ｆ）６ｂは、保留が解除されてＩＰ電話機（一方の通信端末）ａ１からインタフェース（Ｉ／Ｆ）６ａを介して伝送されてくるメディアデータの宛先をＩＰ電話機（他方の通信端末）ｂ１からＩＰ電話機（他方の通信端末）ｂｋへ変更し、宛先を変更したメディアデータをＩＰ電話機（他方の通信端末）ｂｋに送信する。
【００５７】
さらに、インタフェース（Ｉ／Ｆ）６ｂは、ＩＰ電話機（他方の通信端末）ｂｋから送信されてくるメディアデータをインタフェース（Ｉ／Ｆ）６ａを介してＩＰ電話機（一方の通信端末）ａ１に送信する。
【００５８】
このような処理により、転送機能を実現することができる。なお、転送処理は、ＩＰ電話機（他方の通信端末）ｂｋにおいて、単に通常のセッションが確立される処理となるため、転送先が転送機能をサポートしていないインタフェース（Ｉ／Ｆ）６ａに接続されたＩＰ電話機（一方の通信端末）ａ２，…，ａｋ，…，ａｎであっても転送が可能になる。
【００５９】
このように、この発明に係る付加機能手段５は、一方の通信網（ＩＰ通信網２）および一方の通信網に接続された一方の通信端末（ＩＰ電話機ａ１，…，ａｋ，…，ａｎ）が保留機能をサポートしておらず、他方の通信網（ＩＰ通信網３）および他方の通信網に接続された他方の通信端末（ＩＰ電話機ｂ１、…、ｂｋ、…、ｂｎ）が保留機能をサポートしており、一方の通信端末（ＩＰ電話機ａ１）と他方の通信端末（ＩＰ電話機ｂ１）のセッションが確立して双方の通信端末間（ＩＰ電話機ａ１−ＩＰ電話機ｂ１）で通話中に、他方の通信端末（ＩＰ電話機ｂ１）から保留要求メッセージが発生すると、他方の通信端末（ＩＰ電話機ｂ１）に保留応答メッセージを送信するとともに、一方の通信端末（ＩＰ電話機ａ１）からのメディアデータを破棄し、保留音源データ部１１から保留音源データを一方の通信端末（ＩＰ電話機ａ１）に送信するので、一方の通信網および一方の通信網に接続された一方の通信端末が保留機能をサポートしてなくても保留機能を実現することができ、単純な構成で容易に保留機能を実現することができる。
【００６０】
また、この発明に係る付加機能手段５は、一方の通信網（ＩＰ通信網２）および一方の通信網に接続された一方の通信端末（ＩＰ電話機ａ１，…，ａｋ，…，ａｎ）が転送機能をサポートしておらず、他方の通信網（ＩＰ通信網３）および他方の通信網に接続された他方の通信端末（ＩＰ電話機ｂ１、…、ｂｋ、…、ｂｎ）が転送機能をサポートしており、一方の通信端末（ＩＰ電話機ａ１）と他方の通信端末（ＩＰ電話機ｂ１）が保留中に、他方の通信端末（ＩＰ電話機ｂ１）から転送要求メッセージが発生すると、他方の通信端末（ＩＰ電話機ｂ１）に転送応答メッセージを送信するとともに、一方の通信端末（ＩＰ電話機ａ１）に送信されている保留音源データ部１１からの保留音源データを停止して保留を解除し、一方の通信端末（ＩＰ電話機ａ１）から他方の通信端末（ＩＰ電話機ｂ１）に送信されていたメディアデータを転送先に指定された通信端末（ＩＰ電話機ｂｋ）に宛先を変更して送信し、転送先に指定された通信端末（ＩＰ電話機ｂｋ）から送信されるメディアデータを一方の通信端末（ＩＰ電話機ａ１）に送信するので、一方の通信網（ＩＰ通信網２）および一方の通信網に接続された一方の通信端末（ＩＰ電話機ａ１，…，ａｋ，…，ａｎ）が転送機能をサポートしてなくても転送機能を実現することができ、単純な構成で容易に転送機能を実現することができる。
【００６１】
図５はこの発明に係る付加機能手段のキャッチホンの一実施の形態制御シーケンス図である。なお、ＩＰ通信網（一方の通信網）２に接続されたＩＰ電話機（一方の通信端末）ａ１と、ＩＰ通信網（他方の通信網）３に接続されたＩＰ電話機（他方の通信端末）ｂ１のセッションが確立しており、ＩＰ電話機ａ１とＩＰ電話機ｂ１間で通話（通信中）に、ＩＰ通信網（一方の通信網）２に接続されているＩＰ電話機（一方の通信端末）ａｋからＩＰ電話機（他方の通信端末）ｂ１に新たにセッション確立要求が発生した場合について説明する。
【００６２】
図５において、インタフェース（Ｉ／Ｆ）６ａは、ＩＰ電話機（一方の通信端末）ａｋからセッション確立要求メッセージを受信すると、セッション要求確認メッセージをＩＰ電話機（一方の通信端末）ａｋに送信するとともに、ＩＰ電話機（一方の通信端末）ａ１がＩＰ電話機（他方の通信端末）ｂ１へ送信するメディアデータに、新たなセッション確立を要求するＩＰ電話機ａｋが存在することを示す音を重畳したメディアデータをＩＰ通信網（他方の通信網）３からＩＰ電話機（他方の通信端末）ｂ１に送信する。なお、キャッチホンの音を重畳したメディアデータは、ＩＰ電話機（一方の通信端末）ａ１から送信されてくるメディアデータから音声の符号化されたデータ部分のみを抽出してメディアデータバッファ部９に一時格納し、一時格納したデータ部分とキャッチホン音源データ部１２に格納されたキャッチホン音源データをメディアデータ編集部１０で加算して編集した後、新たなメディアデータとして生成される。
【００６３】
キャッチホン音源が重畳されたメディアデータを聴取したＩＰ電話機（他方の通信端末）ｂ１は、新たなセッション確立を要求するＩＰ電話機（一方の通信端末）ａｋに応答するため、保留要求メッセージをインタフェース（Ｉ／Ｆ）６ｂに送信する。
【００６４】
インタフェース（Ｉ／Ｆ）６ｂは、ＩＰ電話機ｂ１から保留要求メッセージを受信すると、保留応答メッセージをＩＰ電話機ｂ１に送信するとともに、保留音源データ部１１から保留音データを読み出してインタフェース（Ｉ／Ｆ）６ａを介してＩＰ電話機ａ１に送信する。
【００６５】
続いて、インタフェース（Ｉ／Ｆ）６ａは、セッション確立応答メッセージをＩＰ電話機ａｋに送信し、ＩＰ電話機ａｋとインタフェース（Ｉ／Ｆ）６ａとの間のセッションを確立する。
【００６６】
この時点より、インタフェース（Ｉ／Ｆ）６ａは、ＩＰ電話機（他方の通信端末）ｂ１からＩＰ電話機（一方の通信端末）ａ１に送信されてくるメディアデータの宛先を変更してＩＰ電話機（一方の通信端末）ａｋに送信するとともに、ＩＰ電話機（一方の通信端末）ａｋから送信されてくるメディアデータをインタフェース（Ｉ／Ｆ）６ｂを介してＩＰ電話機（他方の通信端末）ｂ１に送信することにより、ＩＰ電話機ｂ１とＩＰ電話機ａ１との通話状態から、ＩＰ電話機ｂ１とＩＰ電話機ａｋとの通話状態に切り替えることができ、キャッチホン機能を実現することができる。
【００６７】
このように、この発明に係る付加機能手段５は、一方の通信端末（ＩＰ電話機ａ１）と他方の通信端末（ＩＰ電話機ｂ１）のセッションが確立して双方の通信端末間（ＩＰ電話機ａ１−ＩＰ電話機ｂ１間）で通話中に、一方の通信網（ＩＰ通信網２）に接続された別の通信端末（ＩＰ電話機ａｋ）から他方の通信端末（ＩＰ電話機ｂ１）にセッション確立要求が発生すると、メディアデータバッファ部９に一時格納された別の通信端末（ＩＰ電話機ａｋ）からのメディアデータに、メディアデータ編集部１０でキャッチホン音源データ部１２からの音源データを重畳したメディアデータを他方の通信端末（ＩＰ電話機ｂ１）に送信した後、他方の通信端末（ＩＰ電話機ｂ１）から保留要求メッセージが発生すると、一方の通信端末（ＩＰ電話機ａ１）に保留音源データ部１１からの保留音源データを送信して保留するとともに、他方の通信端末（ＩＰ電話機ｂ１）からのメディアデータの宛先を一方の通信端末（ＩＰ電話機ａ１）から別の通信端末（ＩＰ電話機ａｋ）に変更して送信し、別の通信端末（ＩＰ電話機ａｋ）からのメディアデータを他方の通信端末（ＩＰ電話機ｂ１）に送信するので、通話中の割込みの呼出しに対して応答することができ、単純な構成で容易にキャッチホン機能を実現することができる。
【００６８】
図６はこの発明に係る付加機能手段の一斉放送の一実施の形態制御シーケンス図である。なお、ＩＰ通信網（一方の通信網）２に接続されたＩＰ電話機（一方の通信端末）ａ１からＩＰ通信網（他方の通信網）３に接続されたＩＰ電話機（他方の通信端末）ｂ１およびＩＰ電話機（他方の通信端末）ｂｋに一斉放送するケースについて説明する。
【００６９】
図６において、ＩＰ電話機（一方の通信端末）ａ１から特番などにより一斉放送を示すセッション確立要求メッセージを発生すると、インタフェース（Ｉ／Ｆ）６ａは、一斉放送相手先設定部１３に予め設定されている一斉放送先電話番号（ここでは、ＩＰ電話機ｂ１、ｂｋ）を検出し、セッション確立要求メッセージをＩＰ電話機（一方の通信端末）ａ１に送信するとともに、インタフェース（Ｉ／Ｆ）６ｂは、ＩＰ電話機（他方の通信端末）ｂ１およびＩＰ電話機（他方の通信端末）ｂｋにセッション確立要求メッセージを送信する。
【００７０】
インタフェース（Ｉ／Ｆ）６ｂは、ＩＰ電話機（他方の通信端末）ｂ１からセッション確立応答メッセージを受信してＩＰ電話機（他方の通信端末）ｂ１との間のセッションを確立する。
【００７１】
続いて、インタフェース（Ｉ／Ｆ）６ｂは、ＩＰ電話機（他方の通信端末）ｂｋからセッション確立応答メッセージを受信してＩＰ電話機（他方の通信端末）ｂｋとの間のセッションを確立する。同様に、一斉放送相手先が複数ある場合には、一斉放送相手先に対しセッションを確立する。
【００７２】
インタフェース（Ｉ／Ｆ）６ｂとＩＰ電話機ｂ１およびＩＰ電話機ｂｋとの間でセッションノの確立が終了すると、インタフェース（Ｉ／Ｆ）６ａからＩＰ電話機（一方の通信端末）ａ１にセッション確立応答メッセージを送信し、インタフェース（Ｉ／Ｆ）６ａとＩＰ電話機ａ１との間のセッションを確立する。
【００７３】
セッションが確立してＩＰ電話機（一方の通信端末）ａ１から一斉放送のためのメディアデータをインタフェース（Ｉ／Ｆ）６ａに送信すると、インタフェース（Ｉ／Ｆ）６ａは、メディアデータを終端し、音声の符号化されたデータ部分だけを抽出し、メディアデータバッファ部９に一時格納した後、メディアデータ編集部１０で一斉放送用の音声をＩＰ電話機ｂ１およびＩＰ電話機ｂｋの分だけ複製し、インタフェース（Ｉ／Ｆ）６ｂから複製した音声のメディアデータをＩＰ電話機ｂ１およびＩＰ電話機ｂｋに送信する。
【００７４】
一斉放送の場合、一斉放送のメディアデータを受信するＩＰ電話機ｂ１およびＩＰ電話機ｂｋは、通常メディアデータを送信しないことが想定されるが、ＩＰ電話機ｂ１およびＩＰ電話機ｂｋからメディアデータの送信があっても、インタフェース（Ｉ／Ｆ）６ｂでＩＰ電話機ｂ１およびＩＰ電話機ｂｋから受信するメディアデータを廃棄することで不必要なトラフィックを軽減する。
【００７５】
なお、一斉放送する通信端末は、ＩＰ電話機ａ１，…，ａｋ，…，ａｎおよびＩＰ電話機ｂ１、…、ｂｋ、…、ｂｎの任意のＩＰ電話機でよく、一斉放送の相手先通信端末は、ＩＰ電話機ａ１，…，ａｋ，…，ａｎおよびＩＰ電話機ｂ１、…、ｂｋ、…、ｂｎの任意台数のＩＰ電話機でよい。
【００７６】
このように、この発明に係る付加機能手段５は、一方の通信端末（ＩＰ電話機ａ１）から特番などにより一斉放送を示すセッション確立要求が発生すると、一斉放送相手先設定部に予め設定された相手先通信端末（ＩＰ電話機ｂ１およびＩＰ電話機ｂｋ）にセッション確立要求メッセージを送信してそれぞれ相手先通信端末とセッションを確立するとともに、一方の通信端末（ＩＰ電話機ａ１）からのメディアデータをメディアデータバッファ部９に一時格納し、メディアデータ編集部１０でメディアデータを相手先通信端末（ＩＰ電話機ｂ１、ＩＰ電話機ｂｋ）数分だけ複製して相手先通信端末（ＩＰ電話機ｂ１およびＩＰ電話機ｂｋ）に送信するので、予め設定した複数の通信端末に一斉放送をすることができ、放送装置を必要とすることなく任意の通信端末への一斉放送を実現することができる。
【００７７】
次に、この発明に係るシェーピング機能について説明する。図１に示すＩＰ電話システム１において、ＩＰ電話機（一方の通信端末）ａ１，…，ａｋ，…，ａｎとＩＰ通信網（一方の通信網）２、ＩＰ通信網（一方の通信網）２とシグナリング中継装置４、シグナリング中継装置４とＩＰ通信網（他方の通信網）３およびＩＰ通信網（他方の通信網）３とＩＰ電話機（他方の通信端末）ｂ１、…、ｂｋ、…、ｂｎの相互間接続には、アクセス回線としてイーサネット（登録商標）専用線が用いられることが想定される。
【００７８】
イーサネット（登録商標）専用線のサービスでは、１０ＢＡＳＥ−Ｔや１００ＢＡＳＥ−ＴＸなどのユーザインタフェースで提供され、１０Ｍｂｉｔ／ｓや１００Ｍｂｉｔ／ｓ等の物理的最大速度に対して、例えば１Ｍｂｉｔ／ｓ等の速度までであれば、伝送されるパケットを回線内で破棄しないで伝送することができる保証速度が規定されてサービスがなされている。
【００７９】
ここで規定される保証速度は、必ずしもバーストトラフィックを吸収することができない。例えば、１秒間に伝送される平均のパケットのトラフィックを保証速度以内に抑えて伝送しても、回線の保証速度が１００ミリ秒に伝送される平均のトラフィックとして規定されている場合、１００ミリ秒でみると保証速度を上回り、パケットの廃棄が発生するケースがある。このため、パケット毎に送信間隔を調整して保証速度を上回らないシェーピングの制御が必要となる。
【００８０】
付加機能手段５は、ＩＰ通信網（一方の通信網）２に接続されているＩＰ電話機（一方の通信端末）ａ１、…、ａｋ、…、ａｎと、ＩＰ通信網（他方の通信網）３に接続されているＩＰ電話機（他方の通信端末）ｂ１、…、ｂｋ、…、ｂｎとの間で複数のセッションが確立している場合、単にメディアデータの中継をするだけであれば、伝送されるパケットの送信間隔は、ＩＰ電話機（一方の通信端末）ａ１、…、ａｋ、…、ａｎやＩＰ電話機（他方の通信端末）ｂ１、…、ｂｋ、…、ｂｎの送信間隔によって決定されてしまい、パケットの破棄を防止することができない。
【００８１】
本発明のシェーピングは、図２に示す付加機能手段５において、ＩＰ通信網（一方の通信網）２に接続されるＩＰ電話機（一方の通信端末）ａ１、…、ａｋ、…、ａｎから送信されてくるメディアデータをインタフェース（Ｉ／Ｆ）６ａが受信し、メディアデータをメディアデータバッファ部９に一時格納し、格納したメディアデータをインタフェース（Ｉ／Ｆ）６ｂからＩＰ通信網（他方の通信網）３に送信する場合に、データ送信タイミング制御部１４ｂがＩＰ通信網（他方の通信網）３の回線の保証速度から送信間隔を演算し、演算した送信間隔でメディアデータをＩＰ通信網（他方の通信網）３に送信する。なお、送信間隔（ｓ）≧送出データのビット数（ｂｉｔ）／回線の保証速度（ｂｉｔ／ｓ）で演算する。
【００８２】
同様に、ＩＰ通信網（他方の通信網）３に接続されるＩＰ電話機（他方の通信端末）ｂ１、…、ｂｋ、…、ｂｎから送信されてくるメディアデータはインタフェース（Ｉ／Ｆ）６ｂが受信し、メディアデータをメディアデータバッファ部９に一時格納し、格納したメディアデータをインタフェース（Ｉ／Ｆ）６ａからＩＰ通信網（一方の通信網）２に送信する場合に、データ送信タイミング制御部１４ａがＩＰ通信網（一方の通信網）２の回線の保証速度から送信間隔を演算し、演算した送信間隔でメディアデータをＩＰ通信網（一方の通信網）２に送信する。
【００８３】
このように、この発明に係る付加機能手段５は、一方の通信端末（ＩＰ電話機ａ１、…、ａｋ、…、ａｎ）と他方の通信端末（ＩＰ電話機ｂ１、…、ｂｋ、…、ｂｎ）のセッションが確立している場合に、一方の通信端末から送信されるメディアデータをメディアデータバッファ部９に一時格納し、データ送信タイミング制御部１４ｂで格納されたメディアデータの送信間隔を調整して送信するので、メディアデータの送信間隔を通信網（ＩＰ通信網３）の保証速度以内にシェーピングしてパケットロスを防ぐことができ、パケットロスのない高品質なデータを伝送することができる。
【００８４】
以上説明したように、この発明に係るシグナリング中継装置４は、シグナリングメッセージおよびメディアデータの中継以外に、通信端末間の保留・転送、伝送するパケットのシェーピング、キャッチホン、一斉放送の付加機能を可能にする付加機能手段５を備えたので、中継装置だけで保留・転送、シェーピング、キャッチホン、一斉放送の付加機能を実現することができ、利便性の向上ならびに使い勝手の向上を図ることができる。
【産業上の利用可能性】
【００８５】
本発明に係るシグナリング中継装置は、シグナリングメッセージおよびメディアデータの中継以外に、通信端末間の保留・転送、伝送するパケットのシェーピング、キャッチホン、一斉放送の利便性の高い付加機能を可能にするものであり、シグナリング方式やＩＰアドレス体系などが異なる通信網間に接続される通信端末相互間のメディアデータを中継して通信を可能にするあらゆるシグナリング中継装置に適用することができる。
【図面の簡単な説明】
【００８６】
【図１】この発明に係るシグナリング中継装置が適用されるＩＰ電話システムのシステム構成図
【図２】この発明に係る付加機能手段の一実施の形態要部ブロック構成図
【図３】この発明に係る付加機能手段の通話の制御シーケンス図
【図４】この発明に係る付加機能手段の保留・転送の一実施の形態制御シーケンス図
【図５】この発明に係る付加機能手段のキャッチホンの一実施の形態制御シーケンス図
【図６】この発明に係る付加機能手段の一斉放送の一実施の形態制御シーケンス図
【符号の説明】
【００８７】
１    ＩＰ電話システム
２    ＩＰ通信網（一方の通信網）
３    ＩＰ通信網（他方の通信網）
４    シグナリング中継装置
５    付加機能手段
６ａ，６ｂ    インタフェース（Ｉ／Ｆ）
７ａ，７ｂ    シグナリング制御部
８ａ，８ｂ    メディアデータ制御部
９    メディアデータバッファ部
１０    メディアデータ編集部
１１    保留音源データ部
１２    キャッチホン音源データ部
１３    一斉放送相手先設定部
１４ａ、１４ｂ    データ送信タイミング制御部
ａ１、…、ａｋ、…、ａｎ    ＩＰ電話機（一方の通信端末）
ｂ１、…、ｂｋ、…、ｂｎ    ＩＰ電話機（他方の通信端末）
【図１】
2008017518.tif 000003
【図２】
2008017518.tif 000004
【図３】
2008017518.tif 000005
【図４】
2008017518.tif 000006
【図５】
2008017518.tif 000007
【図６】
2008017518.tif 000008